(57)【要約】【課題】構造簡単にして容易に設置することができ、安価に提供することが出来、且つ不使用時における外観上の見栄えを少しも損なうことがない室内物干し装置を提供する。【解決手段】天井板を固定する野縁に固定する、係止部を有する固定部材と、上端に該固定部材の係止部に係合する係合部を有し、下端にハンガー或は物干竿を吊下げる吊下部を有する吊下部材とで構成すると共に、天井板の前記固定部材の係合部に対応する位置に、吊下部材を自由に出入れできる貫通孔を穿設する。【選択図】図１
2004065715.tif 000002
【特許請求の範囲】
【請求項１】
天井板を固定する野縁に固定する、係止部を有する固定部材と、上端に該固定部材の係止部に係合する係合部を有し、下端にハンガー或は物干竿を吊下げる吊下部を有する吊下部材とで構成すると共に、天井板の前記固定部材の係合部に対応する位置に、吊下部材を自由に出入れできる貫通孔を穿設したことを特徴とする室内物干し装置。
【請求項２】
天井板を固定する野縁に固定する逆Ｌ字状をなす固定部材と、上端に該固定部材の上縁に係合する係合爪を有し、下端に吊下部材を吊下げる吊下孔を形成した係止部材と、上端に該固定部材の係止部に係合する係合部を有し、下端にハンガー或は物干竿を吊下げる吊下部を有する吊下部材とで構成し、前記固定部材の垂直面に係止部材挿通部を一体に形成し、該係止部材挿通部に係止部材を上下方向に摺動可能に挿通させると共に、天井板の前記係止部材に対応する位置に、該係止部材の下端を自由に出入れできる貫通孔を穿設したことを特徴とする室内物干し装置。
【請求項３】
係止部材の固定部材の垂直面に対向する裏面に、該係止部材の格納時に固定部材の垂直部側面に圧接する板バネを取付けたことを特徴とする請求項２に記載の室内物干し装置。
【請求項４】
野縁を補強材を介して梁に接続したことを特徴とする請求項１及び請求項２に記載の室内物干し装置。
【請求項５】
天井板に穿設した貫通孔の周縁に枠部材を取付けたことを特徴とする請求項１及び請求項２に記載の室内物干し装置。
【請求項６】
天井板に穿設した貫通孔に、該貫通孔を閉塞するキャップを着脱自在に取付けたことを特徴とする請求項１及び請求項２に記載の室内物干し装置。
【発明の詳細な説明】
【０００１】
【発明の属する技術分野】本発明は、室内で洗濯物を干せるようにした、室内物干し装置に関するものである。
【０００２】
【従来の技術】近年、花粉症の対策として、或は一人暮しの女性など他人に洗濯物を見られるのを嫌って、雨天等に限らず室内に洗濯物を干す人が多くなってきている。そして、それらの人々に対応するべく各種の室内物干し装置が提案されている。
例えば、特許第２８５５１０８号等に示すように、天井下面に物干し装置を設けたもの、或は特許第３２３２２３７号、特開平７−２０４３９４号公報等に示すように、天井に収納部を形成し、該収納部に物干し装置を出し入れ自在に格納するようにしたもの、更には特開平６−１５０９５号公報、特開２００１−６２１９１号公報等に示すように、窓枠或は壁面に物干し装置を設けたものなどがある。
【０００３】
【発明が解決しようとする課題】しかしながら、前記天井下面に物干し装置を設けたものにおいては、装置も大型のものになり、取付けの際天井の補強を必要とし、コストが高くなるだけではなく、常に天井下面に突出しているため見栄えが悪いという問題があり、又、天井内に収納するようにしたものは、装置が複雑でこれもまたコスト高になるという問題があり、又、窓枠に物干し装置を設けたものにおいては、窓の開け閉めが困難であり、且つ部屋の中が暗くなるという問題があり、壁面に物干し装置を設けたものにおいては、風通しが悪くなるため、洗濯物が乾きにくくなる等の問題があった。
【０００４】
【課題を解決するための手段】そこで本発明は、前記従来の問題点に鑑みてなされたものであって、構造簡単にして容易に設置することができ、安価に提供することができるだけではなく、然も不使用時における外観上の見栄えを少しも損なうことがない室内物干し装置を提供せんとするもので、第１に天井板を固定する野縁に固定する、係止部を有する固定部材と、上端に該固定部材の係止部に係合する係合部を有し、下端にハンガー或は物干竿を吊下げる吊下部を有する吊下部材とで構成すると共に、天井板の前記固定部材の係合部に対応する位置に、吊下部材を自由に出入れできる貫通孔を穿設したことを特徴とし、第２に天井板を固定する野縁に固定する逆Ｌ字状をなす固定部材と、上端に該固定部材の上縁に係合する係合爪を有し、下端に吊下部材を吊下げる吊下孔を形成した係止部材と、上端に該固定部材の係止部に係合する係合部を有し、下端にハンガー或は物干竿を吊下げる吊下部を有する吊下部材とで構成し、前記固定部材の垂直面に係止部材挿通部を一体に形成し、該係止部材挿通部に係止部材を上下方向に摺動可能に挿通させると共に、天井板の前記係止部材に対応する位置に、該係止部材の下端を自由に出入れできる貫通孔を穿設したことを特徴とする。
【０００５】
【発明の実施の形態】以下、本発明の実施の形態を図面に従って詳細に説明する。
１は天井板Ｔを固定するための野縁Ｎに固定する固定部材であって、後述する吊下部材２とで室内物干し装置が構成されている。
該固定部材１は、側面から見て野縁Ｎに上方から嵌合可能なように門型に形成され、その両側垂直部の下端には夫々左右方向に延設された係止部１１，１１が形成され、該係止部１１，１１の上縁には係合凹部１２，１２が形成され、野縁Ｎに跨ぐようにして嵌合されビス３，３によって該野縁Ｎに固定されている。実施例では前記係止部１１，１１を図１に示すように丸型の筒状としたがこれに限るものではなく、角型の筒状としてもよいこと勿論である。
【０００６】
図３乃至図６は前記係止部１１，１１の他の実施例を示すものであって、図３，図４は固定部材１の両側垂直部の下端から左右方向に延設した延設片１３，１３に係止孔１４，１４，１４，１４を夫々穿設して係止部１１，１１としたものである。図５，図６は固定部材１の両側垂直部の下端から左右方向に延設した延設片１３，１３の中央部を切欠いて凹部１５，１５を形成し、該凹部１５，１５に係止棒１６，１６を跨設して係止部１１，１１としたものである。
【０００７】
２は吊下部材であって、適宜な長さを有する鋼棒からなり、上端に前記係止部１１に係合する円弧状の係合部２１が形成され、下端にハンガー或は物干竿１０等を吊下げるための吊下部２２が形成されている。（図７参照）
【０００８】
天井板Ｔの前記固定部材１の係止部１１，１１に対応する位置には、図８乃至図１２に示すように前記吊下部材２を自由に出入れできるようにした貫通孔４が穿設され、該貫通孔４の周縁には枠部材５が取付けられ、該枠部材５はビス６，６によって天井板Ｔに固定されている。尚、該枠部材５はビス６で固定することなく、貫通孔４に嵌挿させるようにして固定してもよい。又、該貫通孔４をキャップ７によって閉塞するようにすることは推奨される。
【０００９】
図１３乃至図１９は本発明の他の実施例を示すものであって、図１３乃至図１６は、固定部材１に別部材によって形成した係止部材８を上下方向に摺動自在に取付けたものである。固定部材１は逆Ｌ状に形成され、その垂直部側面には係止部材８を摺動自在に挿通する係止部材挿通部１７が一体成形により形成されている。係止部材８の上端には内側に折曲された係合爪８１が形成され、該係止部材８を引下したとき、即ち使用時には該係合爪８１が固定部材１の上縁に係合するようになされている。又、該係止部材８の下端には、吊下部材２を吊下げる吊下孔８２が穿設されている。
前記係止部材８の裏面に板バネ８３を取付け、該係止部材８の格納時において、挿通部１７裏面と固定部材１の垂直部側面１８とで該板バネ８３を弾圧して係止部材８を固定するようにすることは推奨される。
【００１０】
図１７乃至図１９は固定部材１を野縁Ｎ，Ｎ間に橋渡しするようにして固定するようにしたもので、該固定部材１の両端をビス３，３，…により野縁Ｎに固定し、中間部の底面両端に係止孔１４，１４，１４，１４を穿設して係止部１１，１１としたものである。
【００１１】
図２０は野縁Ｎと梁Ｈとの間に補強材９を介して野縁Ｎを補強した例を示すもので、このように野縁Ｎを補強した場合、シーツ等の比較的重量の嵩むものでも干せることができるので推奨される。
【００１２】
【発明の効果】以上述べたように本発明の請求項１によれば、天井板を固定する野縁に固定する、係止部を有する固定部材と、上端に該固定部材の係止部に係合する係合部を有し、下端にハンガー或は物干竿を吊下げる吊下部を有する吊下部材とで構成すると共に、天井板の前記固定部材の係合部に対応する位置に、吊下部材を自由に出入れできる貫通孔を穿設したので、天候に拘わりなく何時でも洗濯物を干すことができ、しかも不使用時には吊下部材は取外し自在であり、固定部材は天井内に格納されているため、外観上の見栄えを損なうことがないだけではなく、構造簡単にして取付け容易であるため、安価に提供することができ更には省エネルギーのため、天井裏に設ける断熱材の敷設に何等の支障がない等実用上の効果は大である。
【００１３】
又、請求項２によれば、天井板を固定する野縁に固定する逆Ｌ字状をなす固定部材と、上端に該固定部材の上縁に係合する係合爪を有し、下端に吊下部材を吊下げる吊下孔を形成した係止部材と、上端に該固定部材の係止部に係合する係合部を有し、下端にハンガー或は物干竿を吊下げる吊下部を有する吊下部材とで構成し、前記固定部材の垂直面に係止部材挿通部を一体に形成し、該係止部材挿通部に係止部材を上下方向に摺動可能に挿通させると共に、天井板の前記係止部材に対応する位置に、該係止部材の下端を自由に出入れできる貫通孔を穿設したので、前記請求項１の効果に加え、天井板に穿設する貫通孔を小さくすることが出来るので、室内の断熱効果を損なうことがない。
【００１４】
又、請求項３によれば、係止部材の固定部材の垂直面に対向する裏面に、該係止部材の格納時に固定部材の垂直部側面に圧接する板バネを取付けたので、格納時において係止部材を格納状態に保持して落下を防止することが出来る。
【００１５】
又、請求項４によれば、野縁を補強材を介して梁に接続したので、シーツ等の比較的重量の嵩むものでも干すことが出来る。
【００１６】
又、請求項５によれば、天井板に穿設した貫通孔の周縁に枠部材を取付けたので、貫通孔の周縁を保護することが出来る。
【００１７】
更に、請求項６によれば、天井板に穿設した貫通孔に、該貫通孔を閉塞するキャップを着脱自在に取付けたので、不使用時には該貫通孔を塞ぐことにより、天井の外観を損なうことがない等の効果を有するものである。
【図面の簡単な説明】
【図１】本発明による固定部材の斜視図
【図２】同上の縦断面図
【図３】固定部材の他の実施例を示す斜視図
【図４】同上の縦断面図
【図５】固定部材の他の実施例を示す斜視図
【図６】同上の縦断面図
【図７】吊下部材の斜視図
【図８】固定部材の取付け状態を示す斜視図
【図９】同上の貫通孔から見た状態を示す底面図
【図１０】天井板の穿設した貫通孔の下から見た状態を示す斜視図
【図１１】同上の縦断面図
【図１２】貫通孔にキャップを取付けた状態を示す天井の斜視図
【図１３】室内物干し装置の他の実施例を示す斜視図
【図１４】同上の使用時の状態を示す斜視図
【図１５】図１３の縦断面図
【図１６】図１４の縦断面図
【図１７】室内物干し装置の他の実施例を示す斜視図
【図１８】同上の使用時の状態を示す斜視図
【図１９】同上の要部の拡大斜視図
【図２０】野縁の補強構造を示す斜視図
【図２１】室内物干し装置の使用状態を示す斜視図
【符号の説明】
１　固定部材
１１　係止部
１２　係合凹部
１３　延設片
１４　係止孔
１５　凹部
１６　係止棒
１７　係止部材挿通部
１８　間隔材
２　吊下部材
２１　係合部
２２　吊下部
３　ビス
４　貫通孔
５　枠部材
６　ビス
７　キャップ
８　係止部材
８１　係合爪
８２　吊下孔
８３　板バネ
９　補強材
１０　物干竿
Ｔ　天井板
Ｎ　野縁
Ｈ　梁
【図１】
2004065715.tif 000003
【図２】
2004065715.tif 000004
【図３】
2004065715.tif 000005
【図４】
2004065715.tif 000006
【図５】
2004065715.tif 000007
【図６】
2004065715.tif 000008
【図７】
2004065715.tif 000009
【図８】
2004065715.tif 000010
【図９】
2004065715.tif 000011
【図１０】
2004065715.tif 000012
【図１１】
2004065715.tif 000013
【図１２】
2004065715.tif 000014
【図１３】
2004065715.tif 000015
【図１４】
2004065715.tif 000016
【図１５】
2004065715.tif 000017
【図１６】
2004065715.tif 000018
【図１７】
2004065715.tif 000019
【図１８】
2004065715.tif 000020
【図１９】
2004065715.tif 000021
【図２０】
2004065715.tif 000022
【図２１】
2004065715.tif 000023